(57)【要約】  飲料容器は、自動的に開閉する磁気蓋を含む。飲料容器は、容器部分と、スリーブと、蓋とを含む。スリーブは容器部分に対して閉位置と開位置との間で移動可能であり、スリーブは、スリーブ磁石を含む。蓋は閉構成から開構成に変わることが可能であり、蓋は蓋磁石を含み、蓋の閉構成は容器部分の内部へのアクセス経路を封止し、蓋の開構成は、容器部分の内部へのアクセス経路を開く。スリーブが閉位置にあると、付勢力により蓋が閉構成に維持される。スリーブが開位置にあると、スリーブ磁石と蓋磁石の磁力が付勢力よりも大きくなり、蓋が開構成となる。【選択図】図１
2019536599.tif 000002
【特許請求の範囲】
【請求項１】
容器部分と、
前記容器部分に対して閉位置と開位置との間で移動可能であり、スリーブ磁石を含むスリーブと、
閉構成から開構成に変わることが可能であり、蓋磁石を含んでおり、前記スリーブの前記閉位置は前記閉構成に対応していて前記容器部分の内部へのアクセス経路を封止し、前記スリーブの前記開位置は前記開構成に対応していて前記容器部分の内部への前記アクセス経路を開く蓋と、
を備え、
前記スリーブが前記閉位置にあると、付勢力により前記蓋が前記閉構成に維持され、
前記スリーブが前記開位置にあると、前記スリーブ磁石と前記蓋磁石の磁力が前記付勢力よりも大きくなり、前記蓋が前記開構成となることを特徴とする飲料容器。
【請求項２】
請求項１に記載の飲料容器であって、
前記スリーブは、当該スリーブを前記閉位置に移動させるための更なる付勢力を発生させるスリーブバネを備えることを特徴とする飲料容器。
【請求項３】
請求項２に記載の飲料容器であって、
前記スリーブは、前記スリーブバネによる更なる付勢力よりも大きい外力により、開位置に移動可能であることを特徴とする飲料容器。
【請求項４】
請求項２に記載の飲料容器であって、
前記スリーブ磁石は、前記スリーブが前記開位置にある場合及び前記閉位置にある場合において、前記蓋磁石の下方に位置し続けることを特徴とする飲料容器。
【請求項５】
請求項１に記載の飲料容器であって、
前記蓋は、前記付勢力を発生させるシールバネを備えることを特徴とする飲料容器。
【請求項６】
請求項５に記載の飲料容器であって、
前記付勢力は、前記蓋の蓋下部を、前記蓋の蓋上部とは反対方向に押圧することを特徴とする飲料容器。
【請求項７】
請求項５に記載の飲料容器であって、
解放位置から押圧位置まで手動で押し下げられるように構成されたボタンを更に備え、前記ボタンが前記押圧位置にあることで、前記蓋が前記開構成になり、前記容器部分の内部から圧力が解放されることを特徴とする飲料容器。
【請求項８】
請求項７に記載の飲料容器であって、
前記シールバネは、前記解放位置に向けて前記ボタンを付勢することを特徴とする飲料容器。
【請求項９】
請求項７に記載の飲料容器であって、
前記蓋が前記開構成にあるか前記閉構成にあるかを識別表示する視覚インジケータを更に備えることを特徴とする飲料容器。
【請求項１０】
請求項９に記載の飲料容器であって、
前記ボタンは不透明であり、
前記視覚インジケータはインジケータリングであり、前記ボタンが前記解放位置にある間は前記インジケータリングが隠れており、前記ボタンが押圧されたときは前記インジケータリングが見えることを特徴とする飲料容器。
【請求項１１】
請求項９に記載の飲料容器であって、
前記ボタンは透明であり、
前記視覚インジケータはインジケータ面であり、前記ボタンが前記解放位置にある間は前記インジケータ面が隠れており、前記ボタンが押圧されたときは前記インジケータ面が見えることを特徴とする飲料容器。
【請求項１２】
請求項１に記載の飲料容器であって、
前記蓋は、ヒンジ式レバーを備え、
前記付勢力により、前記ヒンジ式レバーが第１角度位置に保持されることを特徴とする飲料容器。
【請求項１３】
請求項１２に記載の飲料容器であって、
前記蓋は、更なる付勢力を前記ヒンジ式レバーに掛けるレバーバネを備えることを特徴とする飲料容器。
【請求項１４】
請求項１３に記載の飲料容器であって、
前記磁力が前記付勢力に打ち勝つことで、前記ヒンジ式レバーが第２角度位置まで旋回することを特徴とする飲料容器。
【請求項１５】
請求項１３に記載の飲料容器であって、
前記第２角度位置にある前記ヒンジ式レバーは、前記アクセス経路の一部を開放するか、前記蓋の蓋上部を通る通気経路を開放することを特徴とする飲料容器。
【請求項１６】
請求項１に記載の飲料容器であって、
前記蓋は、蓋上部磁石と蓋下部磁石を更に備え、
前記蓋上部磁石及び前記蓋下部磁石は更なる磁力を発生させ、当該更なる磁力が前記付勢力であることを特徴とする飲料容器。
【請求項１７】
請求項１６に記載の飲料容器であって、
前記付勢力は、前記蓋の蓋下部を、前記蓋の蓋上部とは反対方向に押圧することを特徴とする飲料容器。
【請求項１８】
請求項１に記載の飲料容器であって、
前記スリーブを前記閉位置又は前記開位置に保持するように構成される手動式のロックを更に備えることを特徴とする飲料容器。
【請求項１９】
容器部分と、
前記容器部分に対して閉位置と開位置との間で移動可能であり、スリーブ磁石を含むスリーブと、
閉構成から開構成に変わることが可能であり、蓋磁石を含む蓋と、
を備え、
前記スリーブの前記閉位置は前記蓋の前記閉構成に対応していて前記容器部分の内部へのアクセス経路を封止し、前記スリーブの開位置は前記蓋の前記開構成に対応していて前記容器部分の内部への前記アクセス経路を開き、
前記蓋は蓋上部と蓋下部を備え、
前記開構成において前記蓋下部は前記蓋上部から離れており、前記閉構成において前記蓋下部は前記蓋上部に対して保持されており、
前記スリーブが前記閉位置にあると、バネの付勢力により前記蓋が前記閉構成に維持され、
前記スリーブが前記開位置にあると、前記スリーブ磁石と前記蓋磁石の磁力が前記付勢力よりも大きくなり、前記蓋が前記開構成となることを特徴とする飲料容器。
【請求項２０】
容器部分と、
前記容器部分に対して閉位置と開位置との間で移動可能であり、スリーブ磁石を含むスリーブと、
閉構成から開構成に変わることが可能であり、蓋磁石と、レバーの第１自由端に配置されるレバー磁石と、を含む蓋と、
を備え、
前記レバーの第２ヒンジ端は前記蓋に連結されており、
前記スリーブの前記閉位置は前記蓋の前記閉構成に対応していて前記容器部分の内部へのアクセス経路を封止し、前記スリーブの前記開位置は前記蓋の前記開構成に対応していて前記容器部分の内部への前記アクセス経路を開き、
前記スリーブが前記閉位置にある間は、前記レバーが前記閉構成の前記蓋に保持され、前記スリーブが前記開位置にある間は、前記レバーの前記第１自由端が旋回して前記蓋から離れ、
前記スリーブが前記閉位置にあると、付勢力により前記蓋が前記閉構成に維持され、
前記スリーブが前記開位置にあると、前記スリーブ磁石と前記蓋磁石の磁力が前記付勢力よりも大きくなり、前記蓋が前記開構成となることを特徴とする飲料容器。
【発明の詳細な説明】
【背景技術】
【０００１】
［優先権主張］本出願は、発明者としてのアル  スモルドン、ジェームス  スモルドン、及びダニエル  ガットによる「自動閉鎖蓋付き容器」と題する２０１６年１１月８日出願の米国仮特許出願第６２／４１９，１７３号の優先権と、発明者としてのアル  スモルドン、ジェームス  スモルドン、及びダニエル  ガットによる「自動閉鎖蓋付き容器」と題する２０１６年１１月８日出願の米国仮特許出願第６２／４６０，３８８号の優先権と、を主張する。
【０００２】
飲料容器は、ユーザが飲料を入れることができる容器となることができる。様々な異なるタイプの利用可能な飲料容器が存在する。例えば、セラミック製のマグカップは、飲むための飲料を入れておくことができる。しかし、マグカップは比較的壊れ易く、外出中には適していない。別の例では、ステンレス鋼のマグカップに、飲むための飲料を入れることができる。このマグカップはより耐久性があるが、飲料がこぼれ易かったり、飲料容器から飲料が不注意に落下する原因となる他の行動の影響を受け易かったりする。従って、飲料容器は、より確実な方法で飲料を容器内に維持することを可能にする更なる特徴を含むことができる。例えば、飲料容器は、様々な連結機構（例えば、摩擦嵌合、ネジ構造等）の何れかを使用して固定される蓋を有することがある。
【０００３】
飲料を飲むためには、蓋を飲料容器から取り外す必要がある。しかし、このタイプの蓋は手間となり、飲料を飲むことを面倒にすることがある。そのため、蓋は、飲料容器に付いていてもユーザが飲料容器から飲料を飲むことができるという特徴を有することがある。例えば、蓋は、飲料へのアクセスを提供したり抑制したりするための封止機能を含むことができる。ある例では、蓋は、注ぎ口の上に配置されるヒンジ式カバーを含むことがある。従って、蓋を開封するためにカバーが注ぎ口から取り外されると、飲料にアクセスすることができる。別の例では、蓋は、手動式トリガ又は重力付勢式トリガを含むことができる。これらのトリガを作動させることで、飲料へアクセスすることができる。密封機能を有するこれらの蓋は、こぼれ防止の効果を大きくすることができるが、これらの蓋は、特に密封構造が適切に使用されない場合、又は、密封構造による密閉が適切に機能しないように飲料容器が配置／配向されてしまった場合に、依然として意図しないこぼれが発生し易い。たとえ蓋を密封状態に保つロック機能が追加されたとしても、ユーザは、しばしばこの機能を見落とし、それを積極的に使用しないことがある。更に、これらの蓋は、飲料へのアクセスの提供と抑制をスムーズに切り替える機構が無ければ、扱いにくい場合がある。即ち、従来の蓋は、自動開放と自動開閉の両方を備えていない。
【発明の概要】
【０００４】
例示的な実施形態は、容器部分と、前記容器部分に対して閉位置と開位置との間で移動可能であり、スリーブ磁石を含むスリーブと、閉構成から開構成に変わることが可能であり、蓋磁石を含んでおり、前記スリーブの前記閉位置は前記閉構成に対応していて前記容器部分の内部へのアクセス経路を封止し、前記スリーブの開位置は前記開構成に対応していて前記容器部分の内部への前記アクセス経路を開く蓋と、備え、前記スリーブが前記閉位置にあると、付勢力により前記蓋が前記閉構成に維持され、前記スリーブが前記開位置にあると、前記スリーブ磁石と前記蓋磁石の磁力が前記付勢力よりも大きくなり、前記蓋が前記開構成となる飲料容器に関する。
【０００５】
例示的な実施形態は、容器部分と、前記容器部分に対して閉位置と開位置との間で移動可能であり、スリーブ磁石を含むスリーブと、閉構成から開構成に変わることが可能であり、蓋磁石とを含む蓋と、を備え、前記スリーブの前記閉位置は前記蓋の前記閉構成に対応していて前記容器部分の内部へのアクセス経路を封止し、前記スリーブの開位置は前記蓋の前記開構成に対応していて前記容器部分の内部への前記アクセス経路を開き、前記蓋は蓋上部と蓋下部を備え、前記開構成において前記蓋下部は前記蓋上部から離れており、前記閉構成において前記蓋下部は前記蓋上部に対して保持されており、前記スリーブが前記閉位置にあると、バネの付勢力により前記蓋が前記閉構成に維持され、前記スリーブが前記開位置にあると、前記スリーブ磁石と前記蓋磁石の磁力が前記付勢力よりも大きくなり、前記蓋が前記開構成となる飲料容器に関する。
【０００６】
例示的な実施形態は、容器部分と、前記容器部分に対して閉位置と開位置との間で移動可能であり、スリーブ磁石を含むスリーブと、閉構成から開構成に変わることが可能であり、蓋磁石と、レバーの第１自由端に配置されるレバー磁石と、を含む蓋と、を備え、前記レバーの第２自由端は前記蓋に連結されており、前記スリーブの前記閉位置は前記閉構成に対応していて前記容器部分の内部へのアクセス経路を封止し、前記スリーブの開位置は前記開構成に対応していて前記容器部分の内部への前記アクセス経路を開き、前記スリーブが前記閉位置にある間は、前記レバーが前記閉構成の前記蓋に保持され、前記スリーブが前記開位置にある間は、前記レバーの前記第１自由端が旋回して前記蓋から離れ、前記スリーブが前記閉位置にあると、付勢力により前記蓋が前記閉構成に維持され、前記スリーブが前記開位置にあると、前記スリーブ磁石と前記蓋磁石の磁力が前記付勢力よりも大きくなり、前記蓋が前記開構成となる飲料容器に関する。
【図面の簡単な説明】
【０００７】
【図１】図１は、例示的な実施形態による例示的な第１容器の斜視図を示す。
【０００８】
【図２】図２は、例示的な実施形態による、図１の例示的な第１容器の側面図を示す。
【０００９】
【図３】図３は、例示的な実施形態による、図１の例示的な第１容器の上面図を示す。
【００１０】
【図４】図４は、例示的な実施形態による、図１の例示的な第１容器の第１断面図を示す。
【００１１】
【図５】図５は、例示的な実施形態による、図１の例示的な第１容器の第２断面図を示す。
【００１２】
【図６】図６は、例示的な実施形態による、図１の例示的な第１容器の第３断面図を示す。
【００１３】
【図７】図７は、例示的な実施形態による、図１の例示的な第１容器の分解図を示す。
【００１４】
【図８】図８は、例示的な実施形態による例示的な第２容器の第１断面図を示す。
【００１５】
【図９】図９は、例示的な実施形態による、図２の例示的な第２容器の第２断面図を示す。
【００１６】
【図１０】図１０は、例示的な実施形態による例示的な第３容器の分解図を示す。
【００１７】
【図１１】図１１は、例示的な実施形態による例示的な第４容器の側面図を示す。
【００１８】
【図１２】図１２は、例示的な実施形態による、図１１の例示的な第４容器の第１断面図を示す。
【００１９】
【図１３】図１３は、例示的な実施形態による、図１１の例示的な第４容器の第２断面図を示す。
【００２０】
【図１４】図１４は、例示的な実施形態による、第１、第２、第３、及び第４容器とともに使用される例示的な第１インジケータを示す。
【００２１】
【図１５】図１５は、例示的な実施形態による、第１、第２、第３、及び第４容器とともに使用される例示的な第２インジケータを示す。
【発明を実施するための形態】
【００２２】
例示的な実施形態は、以下の説明及び関連する添付の図面を参照して更に理解することができる。また、同様の構成要素には同じ参照符号が付与される。例示的な実施形態では、飲料容器内に入れられている液体にスムーズにアクセスできる蓋を有する飲料容器を説明する。以下で詳細に説明するように、蓋は、自動的に開閉する機構を有するように構成することができる。具体的には、ユーザが飲料容器を持ち上げると、蓋は自動的に開かれる一方で、ユーザが飲料容器を面に置くと、蓋は自動的に閉じられる。例示的な実施形態の機構では、磁気を利用して蓋を開くことで、飲料容器の内部へアクセスすることができる。例示的な実施形態は、更に、飲料容器の内部の圧力を解放するための通気機能と、蓋と協働して蓋の開閉状態を示すインジケータ機能と、を備えていてもよい。
【００２３】
例示的な実施形態は、飲料容器及びその中に保持されている飲料又は液体に関して説明されているものである。しかし、液体のために使用される容器は単に例示的なものであり、飲料容器は、物が容器内に入れられ、この物の少なくとも一部を取り出すことがユーザによって決定されるまで容器内に入れられ続ける任意の容器を示すものである。例えば、容器には、固体（例えば、食品）、気体、それらの組み合わせ等が入れられてもよい。
【００２４】
例示的な実施形態は、ユーザが手動で開くことができ、それ以外の時間では閉じたままである飲料容器を提供する。飲料容器を持ち上げることに起因して、開放機構は、飲料容器内に入れられている液体をユーザが飲むためのアクセス経路を自動的に開くことができる。飲料容器は、ユーザによって保持されていない場合は、開放機構の付勢機能によって自動的に閉じることができる。例示的な実施形態による飲料容器は、飲料容器を開放及び／又は閉鎖するための構成要素の位置を変えるための磁気機能を含むことができる。具体的には、磁気機能は、飲料容器の蓋の構成要素を付勢力に抗して引っ張って解放位置から押圧位置に移動させることで、飲料容器が開いてアクセス経路（例えば、注ぎ口）を介して飲料にアクセスすることができる。第１の例示的な実施形態によれば、第１容器は、磁気機能とバネ機能とを用いることができる。第２の例示的な実施形態によれば、第２蓋は、磁気機能とレバー機能とを用いることができる。第３例示的な実施形態によれば、第３蓋は、磁気機能と別の磁気機能とを用いることができる。
【００２５】
図１〜７は、例示的な実施形態による例示的な第１容器１００についての様々な視点での図を示す。具体的には、図１は組立済みの斜視図を示し、図２は組立済みの側面図を示し、図３は組立済みの上面図を示し、図４は第１側面断面図を示し、図５は第２側面拡大断面図を示し、図６は第３側面拡大断面図を示し、図７は例示的な第１容器１００の分解図を示す。
【００２６】
第１容器１００は、複数の構成要素及び副構成要素を含むことができる。第１容器１００は、概して、容器部分１２０と、長手方向の一部に沿って容器部分１２０の周囲に配置されたスリーブ１３０と、容器部分１２０の上端に配置された蓋１４０と、を含むことができる。初めに、図１に示されるような円筒形状を示す第１容器１００は、単なる例示であることとする。第１容器１００は、例示的な実施形態の範囲から逸脱しない範囲で、長手方向及び／又は横方向に任意の形状を有することができる。例えば、飲料容器１００は、任意の長形状（例えば、円錐状、テーパ上、多角形状等）であってもよく、及び／又は、任意の断面形状（例えば、円形や多角形等）であってもよい。
【００２７】
上述したように、図１には、容器部分１２０、スリーブ１３０、及び蓋１４０が示されている。図１には、更に、第１容器１００がボタン１８０及びロック１８５を含むことができることが示されている。以下で詳細に説明するように、ボタン１８０及びロック１８５は、手動で操作されることで対応する効果が発揮される構造とすることができる。ボタン１８０は、更に、開放機構、磁気機能、及びインジケータに関連付けられてもよい。図２は、別の視点で見たロック１８５を示す。図示するように、ロック１８５は、ユーザがスリーブ１３０を容器部分１２０の長手方向に沿った位置にロックすることを可能にすることができる。以下で詳細に説明するように、スリーブ１３０が可動長さの第１端部にあるときは、第１容器１００を閉鎖することができる。反対に、スリーブ１３０が可動長さの第２端部にあるときは、第１容器１００を開放させることができる。ロック１８５は、（例えば、ロック設定位置又はロック解除設定位置にスライドさせることによって）第１容器１００を開構成又は閉構成で維持するために使用されてもよい。従って、スリーブ１３０が第１端部にある間にロック１８５がロック設定位置にある場合、ロック１８５は第１容器１００を閉構成に保ち、液体が第１容器１００からこぼれることを防止することができる。スリーブ１３０が第１端部にある間に、ロック１８５がロック解除設定位置に移動されてロックが解除される場合、スリーブ１３０は、第２端部に移動でき、第１容器１００を開構成とすることができる。スリーブ１３０が第２端部にある間にロック１８５がロック設定位置にある場合、ロック１８５は第１容器１００を開構成に維持し、液体が第１容器１００から流れ出すことを可能にすることができる。スリーブ１３０が第２端部にある間にロック１８５がロック解除設定位置に移動されてロックが解除される場合、スリーブ１３０は、第１端部に移動でき、第１容器１００を閉構成とすることができる。ロック１８５は、様々な理由で使用することができる。例えば、第１容器１００が（例えば、バッグ内で）運ばれている間、第１容器１００が意図せず開放されることがある。しかし、ロック１８５が閉位置を維持するように作動される場合、第１容器１００は、ロック１８５が解除されて開放機構が作動されるまで、閉鎖されたままとすることができる。
【００２８】
図３は、蓋１４０及びボタン１８０を有する第１容器１００の上部を別の視点で見た図を示す。この場合も、円形の断面形状及び構成要素の同心状の構造は例示に過ぎない。図３には、第１容器１００の断面を図示するためのベースとなる線Ａ−Ａも示されている。第１容器１００の上面図は、蓋１４０のアクセス経路の第１の例示的な実施形態を示す。第１の例示的な実施形態では、アクセス経路を円形注ぎ口１９０とすることができる。具体的には、円形注ぎ口１９０は、ボタン１８０と蓋１４０の上部の凹面との間に位置する経路とすることができる。円形注ぎ口１９０があることで、ユーザは、３６０°にわたるアプローチを行うことができる。従って、ユーザは第１容器１００が開構成である間は、飲料を飲むための適切な取扱いが第１容器１００にされているかを気にすることなく、第１容器１００を任意の半径方向の角度で持ち上げることができる。以下で更に詳細に説明するように、円形注ぎ口１９０は、第１容器１００が閉構成にあるときに閉じることができ、円形注ぎ口１９０は、第１容器１００が開構成にあるときに開くことができる。第２の例示的な実施形態では、アクセス経路は、他のタイプのアクセスとすることもでき、例えば、アクセス経路は直線状の注ぎ口であってもよいし、チューブ状又はストロー状の注ぎ口であってもよい。第１容器１００は、当該第１容器１００の構成に応じて、アクセスを遮断又は開放するように構成されてもよい。
【００２９】
図４−６は、第１容器１００の様々な断面図を示す。図６の断面図のアングルでは更なる構成要素が示されているので、以下はここで描写されているものに関して説明する。図６には、容器部分１２０、スリーブ１３０、蓋１４０、ボタン１８０、及びロック１８５が再び示されている。この斜視図は、これらの構成要素の相対的な向き及び位置も示している。例えば、上述したように、スリーブ１３０は、容器部分１２０の外側に、容器部分１２０の長手方向の一部の周囲に沿うように配置する構成とすることができる。スリーブ１３０はまた、容器部分１２０の長手方向に沿って移動するような構成とすることができる。図示されているように、第１容器１００は、可動長さの第１端部にスリーブ１３０がある状態において、閉構成となることができる。スリーブ１３０は、可動長さの第２端部まで移動することができる。例えば、スリーブ１３０は、容器部分１２０の長手方向に沿って上方に移動することができる。具体的には、スリーブ１３０が距離ｄ（例えば、５．５ｍｍ）だけ移動して第１容器１００を開構成にするための隙間があってもよい。蓋１４０が、容器部分１２０の上部を受ける底部も備えることが示されている。蓋１４０を容器部分１２０と一緒に保持するために、連結機構を使用することができる。ボタン１８０の相対位置も示されている。例えば、ボタン１８０は第１容器１００の上面に露出面を有し、残りの部分が蓋１４０の内部に延びることができる。この斜視図には、第１容器１００のロック１８５も示されている。ロック１８５は、ユーザが作動させる要素を移動させてロック片を移動させることで、スリーブ１３０が特定の方向に移動することを防止する（例えば、上方位置にロックされたときに下方に移動することを防止する、又はその逆）ための物理的なロックとすることができる。
【００３０】
第１容器１００では、シールバネ１６０は、第１容器１００が閉構成になるように付勢することができる。具体的には、蓋１４０は、蓋下部１４３及び蓋上部１４７を含む複数部品として構成することができる。蓋下部１４３の上面が蓋上部１４７の底面に対して保持されると、第１容器１００の内部から外部へのアクセス経路を閉鎖することができる。蓋下部１４３が蓋上部１４７から離されると、アクセス経路が開かれて、第１容器１００を開構成にすることができる。シールバネ１６０の上部は、実際の位置が図示されておらず、説明を目的とするものであるが、蓋１４０の中央部分の上方にあるように図示されている。シールバネ１６０の全体は、図１から図３の組立済みの図に示されたように、将来的には蓋１４０の内側に位置するだろう。具体的には、シールバネ１６０は、ボタン１８０の上部の底面と蓋上部１４７の上面との間に保持させることができる。
【００３１】
開放機構に関して、蓋１４０は、一組の蓋磁石１５０を含むことができる。例えば、蓋磁石１５０は、中心が中空となる１つの円形となるように構成・配置される複数の磁石を含むことができる。ある実施形態では、蓋磁石１５０の長手方向が第１容器１００の断面の中心に向かうように、かつ、第１容器１００の長手方向に垂直になるように配置された８つの個別の蓋磁石１５０を設けることができる。しかし、蓋磁石１５０のタイプ、数、及び向きは、ただの例示であるものとする。別の例示的な実施形態では、蓋磁石１５０は、第１容器１００の断面の内部の周部分に対応する周部分を有する単一の円形磁石であってもよい。
【００３２】
蓋磁石１５０は、一組のスリーブ磁石１３５とともに動作するように構成することができる。スリーブ磁石１３５は、タイプ、数、及び向きにおいて蓋磁石１５０と実質的に同様であってもよく、また、長手方向の線に沿って整列されてもよい。しかし、スリーブ磁石１３５は、以下に説明するような引力が達成可能である限り、任意のタイプ、数、及び配向とすることができる。スリーブ磁石１３５が移動して、スリーブ磁石１３５の磁界が蓋磁石１５０の磁界を引き付ける位置に到達すると、第１容器１００は、閉構成から開構成に変化する。具体的には、（例えば、ユーザが第１容器１００を持ち上げることにより）スリーブ１３０が上方向にスライドすると、スリーブ磁石１３５は蓋磁石１５０に近づくように移動させられることになる。更に言えば、スリーブ磁石１３５は距離ｄだけ移動することができる。この位置に移動すると、スリーブ磁石１３５と蓋磁石１５０との間の引力はシールバネ１６０の付勢力に打ち勝ち、蓋下部１４３が下方向に移動し、それによって蓋下部１４３が蓋上部１４７から離れ、蓋１４０が開放されて、ユーザは第１容器１００から飲料を飲むことができるようになる。距離ｄは、スリーブ磁石１３５が最も高い位置にあっても蓋磁石１５０の下に留まるように決めることができるものとする。このように、蓋磁石１５０がスリーブ磁石１３５に向かって移動しようとするときに、この引力によって蓋下部１４３を下方に移動させることができる。上述したように、シールバネ１６０は、蓋下部１４３を付勢して蓋上部１４７に対して保持させることができる。例えば、ボタン１８０は、蓋下部１４３に結合されている一方で、蓋上部１４７の開口内にスライド可能に延びている構成とすることができる。
【００３３】
上述したように、シールバネ１６０は、ボタン１８０の上部と蓋上部１４７との間に保持される構成とすることができる。つまり、シールバネ１６０は、ボタン１８０と同時に蓋下部１４３を上方に押圧する延長構成に向けて付勢されるとともに、蓋上部１４７に向けて付勢される構成とすることができる。シールバネ１６０に加えて、第１容器１００は、スリーブバネ１７０を含むこともできる。スリーブバネ１７０は、スリーブ磁石１３５と蓋磁石１５０との間の引力に打ち勝つように付勢される構成とすることができる。例えば、（ユーザがスリーブを上方に押すことによって）スリーブバネ１７０の付勢力よりも大きい力が、当該付勢力に抗してスリーブ１３０をスライドさせるために加えられる場合は、スリーブバネ１７０は、スリーブ１３０を下方に移動させることはできないし、更にスリーブ磁石１３５を蓋磁石１５０から分離することもできない（それらの間の引力を減少させることはできる）。しかしながら、スリーブバネ１７０の付勢力が最大となる場合、スリーブ１３０が下方に移動し、それによってスリーブ磁石１３５も下方に移動し、スリーブ磁石１３５と蓋磁石１５０との間の引力がシールバネ１６０のバネ力に打ち勝つことができない結果、スリーブ１３０を自動的に下方に戻すことができる。従って、第１容器１００を自動的に閉位置に戻されるようにすることができる。
【００３４】
なお、スリーブバネ１７０は不要とすることができる。例えば、スリーブ１３０を十分な質量とすることで、スリーブ１３０が直立位置であって、（例えば、ユーザからの）外力が加えられていないときに、重力によってスリーブ１３０が下方に引き戻されるようにすることができる。しかし、スリーブバネ１７０を含むことにより、第１容器１００が直立位置にない場合であっても、付勢されない下方位置にスリーブ１３０が戻ることを確実にすることができる。実際、第１容器１００は上下逆にすることができ、スリーブバネ１７０は、重力による引張り力に十分対抗できるものである。
【００３５】
シールバネ１６０及びスリーブバネ１７０を開放機構とともに動作させる観点から、シールバネ１６０及びスリーブバネ１７０は、開放機構が意図通りに使用されることを可能にするための特性を有するように選択されてもよい。例えば、シールバネ１６０は、関与する全ての力（例えば、蓋下部１４３を重力で引張る力、スリーブ磁石１３５と蓋磁石１５０が最近接でないときの引力等）で蓋下部１４３が蓋上部１４７から分離しないように、そして、これらの構成要素が互いに静止し続けるように（即ち閉構成）、十分なバネ付勢力を提供することができる。別の例では、スリーブバネ１７０は、スリーブ１３０を下方に引き戻すのに十分な最大の付勢力を提供することができるが、第１容器１００が空であってもスリーブ１３０を上方に移動させることができる。ある実施形態では、空の状態の第１容器１００及び蓋１４０の重量が約３５０グラムであることに基づいて、シールバネ１６０及びスリーブバネ１７０を選択することができる。
【００３６】
ボタン１８０は、開放機構に対するその寄与に関しては既に上述されている。ボタン１８０は、追加の機能を発揮することもできる。例えば、ボタン１８０は、閉鎖されたときに第１容器１００内に存在する蒸気又は圧力を通気するための通気機能を発揮させるために、手動で使用することができる。例えば、蓋１４０が閉鎖されると、第１容器１００内の高温液体からの蒸気が第１容器１００内に蓄積することがある。追加の気体を保持するために同じ体積が使用されているので、この蓄積された蒸気は、飲料容器１００内に高い圧力をもたらし得る（例えば、ボイルの法則）。スリーブ１３０が上方に移動する場合、この高い圧力により、第１容器１００が開構成に変わることが抑制され得る（例えば、蓋下部１４３が開位置に移動することが抑制される）。なぜなら、この高い圧力は、スリーブ磁石１３５と蓋磁石１５０との引力に対抗する更なる力となり得るからである。従って、ユーザは、蓋１４０上のボタン１８０を押して、蒸気を通気させ、飲料容器１００内の圧力を低下させたり、平衡状態に到達させ、それによって蓋１４０を意図したように動作させることができる。以下で更に詳細に説明するように、ボタン１８０を介した手動通気機構は単に例示的なものであり、他のタイプの通気機構を第１容器１００に組み込むことができる。
【００３７】
なお、上述したような開放機構、並びに移動及びスライドの向き／構成／方向は、例示であるものとする。例示的な実施形態においては、開放機構が第１容器１００を閉構成から開構成に変えるために上述の磁気機能の原理を利用することを変更することができる。実際、閉構成側に付勢されることは、単なる例示であり、第１容器１００は代わりに、開構成側に付勢されてもよい。別の例ではスリーブ１３０が第１容器１００を開構成にするために上方にスライドするが、これは例示に過ぎない。スリーブ１３０の第１方向への移動によりスリーブ磁石１３５が第２反対方向に移動するという直接的でない関係をスリーブ１３０及びスリーブ磁石１３５が有する場合、スライド運動も、第１容器を開構成に配置するために反対であってもよい。
【００３８】
ここでも、スリーブ磁石１３５及び蓋磁石１５０は、それぞれスリーブ１３０及び蓋１４０の周囲に配置される任意の数の分離した磁石を含んでもよいものとする。ある変形例では、スリーブ磁石１３５及び／又は蓋磁石１５０が単一の磁石であってもよい。例えば、単一の磁石は、対応するスリーブ１３０又は蓋１４０の周囲に形成された溝に設けることができる。同様に、シールバネ１６０は単一のバネとして示されているが、スリーブバネ１７０は、スリーブ１３０の対向する側に２つの別個のものが設けられるように構成することができる。しかしながら、シールバネ１６０及びスリーブバネ１７０の数、配置、及び種類は、例示的なものに過ぎず、例示的な実施形態は適切なバネ付勢を達成するために、任意の種類、数、及び配向を利用してもよい。
【００３９】
図７の分解図は、第１容器１００を作成するために組み立てられる例示的な構成要素の組合せを示す。しかし、本明細書に記載された構成要素は例示に過ぎず、当業者であれば、様々な異なるタイプの使用可能な構成要素があることを理解し、更に、第１容器１００を閉構成から開構成に変更する磁気機能を達成するために使用可能な様々な異なる構成があることを理解するであろう。以下は、この構成要素のために選択され得る例示的な材料及びサイズについて記載されている。しかし、構成要素自体と同様に、材料／サイズも単なる例示であり、例示的な実施形態は磁気機能に基づいて開口機構を示す際に適切な異なる材料／サイズのものを利用することができる。
【００４０】
図示するように、構成要素は、容器部分１２０、スリーブ１３０、蓋１４０、スリーブバネ１７０、及びボタン１８０の副構成要素として記載されている。ボタン１８０は、ボタン本体１８０−１、ボタンキャップ１８０−２、及びボタンピン１３０−３を含むことができる。ボタン本体１８０−１はポリカーボネート（ＰＣ）で作成され、ボタンキャップ１８０−２はアクリロニトリルブタジエンスチレン（ＡＢＳ）で作成され、ボタンピン１３０−３はステンレス鋼（ＳＳ）で作成される。ボタン本体１８０−１は上述したボタン１８０の上部に相当することができる。従って、ボタン本体１８０−１は、実質的にＵ字形の断面形状を有しており、そこにシールバネ１６０の第１端部を保持することができる。シールバネ１６０は、直径０．６ｍｍの熱処理されたＳＳのバネであってもよい。ボタンピン１８０−３は、蓋下部１４３と結合するために、蓋下部１４３の構成要素に向かって延びるような構成とすることができる。ボタンキャップ１８０−２は、ボタン本体１８０−１から外側に延びるような表面とすることができる。図示されるように、ボタンピン１８０−３はまた、インジケータ４００／４５０と関連付けられてもよい。インジケータ４００／４５０については、図１４及び１５を参照して、以下で更に詳細に説明される。
【００４１】
蓋１４０は、蓋本体１４０−１と、蓋フィラー１４０−２と、蓋ネジ部１４０−３と、シールプレートポスト１４０−４と、シールプレート１４０−５と、シールプレートオーバーモールド１４０−６と、ガスケット１４０−７と、別のガスケット１４０−８と、ガスケットリテーナ１４０−９とを含むことができる。蓋本体１４０−１、蓋フィラー１４０−２、蓋ネジ部１４０−３、シールプレートポスト１４０−４、シールプレート１４０−５、シールプレートオーバーモールド１４０−６、及びガスケットリテーナ１４０−９は、全てＡＢＳで作成することができる。ガスケット１４０−７は２０デュロメータのシリコーンゴムで作成されてもよく、ガスケット１４０−８はシリコーンゴムで作成されてもよい。蓋本体１４０−１には、蓋１４０から飲むための要素を形成することができ、ユーザが第１容器１００に直接接触して飲むのを容易にするために、上端部に丸み又は曲線の縁部を含むことができる。蓋フィラー１４０−２は、機械的な組立てを目的として設けられる追加の構成要素とすることができる。蓋ネジ部１４０−３は、蓋１４０が容器部分１２０、具体的には容器部分１２０の構成要素に結合されることを可能にする蓋１４０の底部分とすることができる。蓋１４０はまた、蓋磁石１５０を含むことができる。蓋磁石は、ネオジム磁石Ｎ５２、耐高温磁石であってもよい。蓋磁石１５０の例示的な向き、構成、及び数が図７に示されている。
【００４２】
蓋１４０の残りのアセンブリは、シールプレート１４０−５に（例えば、ネジを介して）結合するシールプレートポスト１４０−４と、シールプレートオーバーモールド１４０−６に（例えば、ネジを介して）結合するシールプレート１４０−５と、を含むことができる。シールプレートポスト１４０−４は、ボタンピン１８０−３に（例えば、ネジを介して）結合する構成要素であって、かつ、上述した蓋下部１４３の一部としての構成要素であってもよい。シールプレート１４０−５は、蓋下部１４３の一部であり、蓋上部１４７の一部である蓋本体１４０−１に対して押圧される。蓋本体１４０−１が蓋上部１４７であり、シールプレート１４０−５が蓋下部１４３である場合、閉構成は、ガスケット１４０−８をガスケット１４０−９（両方ともシリコーンゴムで作られる）に押し付けることによって達成することができる。従って、ガスケット１４０−７はシールプレート１４０−５に（例えば、上面で）連結されてもよく、ガスケット１４９−８はガスケットリテーナ１４０−９を用いて蓋本体１４０−１に（例えば、底面で）連結されてもよい。
【００４３】
容器１２０は、ＳＳ内側部１２０−１、ＳＳ外側部１２０−２、ＳＳ外側パッド１２０−３、カラー外側部１２０−４、カラー内側部１２０−５、及びカラーシール１２０−６を含むことができる。ＳＳ内側部１２０−１及びＳＳ外側部１２０−２は、ＳＳで作成することができる。具体的にはＳＳ内部部１２０−１のＳＳをＡＩＳＩ３０４とすることができ、ＳＳ外部部１２０−２のＳＳはＳＳが熱処理された２０１とすることができる。更に、ＳＳ内側部１２０−２をＳＳ外側部１２０−２に組み付ける際に、それらの間の空間は、容器部分１２０に断熱機能を提供するために、真空引きにより得られる真空とすることができる。ＳＳ外側パッド１２０−３は、熱可塑性エラストマー（ＴＰＥ）で作成され、第１容器１００の底面を滑りにくい面とすることができる。カラー外側部１２０−４及びカラー内側部１２０−５はＡＢＳで作成することができ、カラーシール１２０−６は、シリコーンゴムで作ることができる。カラー外側部１２０−４及びカラー内側部１２０−６はカラーシール１２０−６とともに、容器部分１２０の上部リップを形成することができる。カラー内側部１２０−５はまた、蓋１４０を容器部分１２０に結合するための蓋ネジ部１４０−３に対向するネジ山を含むことができる。
【００４４】
スリーブ１３０は、スリーブロック側部１３０−１、スリーブ中実側部１３０−２、バネシャトル１３０−３、スリーブ磁石リテーナ１３０−４、スリーブ磁石リテーナプラグ１３０−５、及びスリーブピン１３０−６を含むことができる。スリーブロック側部１３０−１、スリーブソリッド側部１３０−２、スリーブ磁石リテーナ１３０−４、及びスリーブ磁石リテーナプラグ１３０−５は、ＡＢＳで構成することができる。スプリングシャトル１３０−３はデルリンで作成することができ、一方、スリーブピン１３０−６は、ＳＳで作成することができる。垂直に組み立てられる上述の他の構成要素の組立てとは対照的に、スリーブ１３０の構成要素は、水平に組み立てられてもよい。具体的には、スリーブロック側部１３０−１がスリーブピン１３０−６を用いて、容器部分１２０の長手方向の周囲の断面にわたってスリーブ固体側部１３０−２に結合することができる。スリーブロック側部１３０−１及びスリーブ中実側部１３０−２の内部では、スリーブバネリテーナ１７０−１を使用して、スリーブバネ１７０とともにバネシャトル１３０−３を位置決めして、スリーブバネ１７０の付勢力をスリーブ１３０の垂直移動に対して付与することを容易にすることができる。スリーブバネ１７０は、直径３３ｍｍの熱処理されたＳＳバネであってもよい。スリーブ１３０はまた、スリーブ磁石リテーナ１３０−４及びスリーブ磁石リテーナプラグ１３０−５を使用するスリーブ磁石１３５を含むことができる。スリーブ磁石１３５は、ネオジム磁石Ｎ５２とすることができる。更に、ロック１８５は、スリーブロック側部１３０−１に対して適切に位置することができる。
【００４５】
スリーブ磁石１３５及び蓋磁石１５０を円形にしたり円形に分布させることにより、開構成及び閉構成に対応した適切な距離をより確実に達成することができる。蓋１４０を容器部分１２０に結合するためにネジが使用されるので、磁石１３５、１５０が整合しない位置に配置される可能性がある。しかし、円形に分布させることにより、この不整合を確実に避けることができる。蓋１４０と容器部分１２０との結合を制御する場合、この制御により磁石１３５、１５０の位置が整合することが保証されるので、１つのスリーブ磁石１３５及び１つの蓋磁石１５０のみを利用することができる。別の方法では、蓋１４０を容器部分１２０に結合するためのネジ機構又は結合機構は、最大量のネジ締め量のみを可能にするか、又は、意図された位置に到達したことを示すための停止部又は戻り止め部を含み得る。従って、停止部／戻り止め部は、蓋１４０が容器部分１２０に意図された位置までネジが締められたという力覚の示唆（例えば、認識可能なクリック）及び／又は聴覚の示唆（例えば、可聴クリック）を実行することもできる。ネジ締めによって意図された位置まで到達したこと及び停止部／戻り止め部により、更に、磁石１３５、１５０を適切に整列させることができる。
【００４６】
上記では、第１容器１００と、２つのバネ機能と組み合わせた磁気機能と、について説明した。従って、第１容器１００は、シールバネ１６０及びスリーブバネ１７０によって、閉構成となるように付勢される。十分な力がスリーブ１３０に加えられると、スリーブバネ１７０の付勢力に打ち勝って、スリーブ１３０を押圧方向（例えば、容器部分１２０の長手方向に沿って上方）に移動させることができる。スリーブ１３０に加える必要がある力は、ユーザがスリーブ１３０を保持しながら第１容器１００を持ち上げることによって達成することができるものとする。例えば、第１容器の重量、容器内の液体の重量（既に液体が入れられている場合）、及び重力により、スリーブ１３０を移動させ、スリーブバネ１７０の付勢力に打ち勝つのに必要な力を得ることができる。スリーブ１３０が十分な量（例えば、最大クリアランス距離ｄ）移動すると、スリーブ磁石１３５は静止している蓋磁石１５０に十分に近接し、その結果、それらの間で発生する引力は、シールバネ１６０の付勢力に打ち勝つのに十分な強さとなることができる。このようにして、第１容器１００は、蓋下部１４３が蓋上部１４７から離れて付勢されない開構成に変更され、容器部分１２０内の液体にアクセス可能となる。例えば、第１容器１００を傾けることにより、蓋構成要素１４３、１４７が離れることで形成されるアクセス経路を通って、液体を流すことができる。その後、スリーブ１３０に加えられた力が解放されると、スリーブバネ１７０の付勢力が優先されて、スリーブ１３０が解放位置に移動する。このスリーブ１３０の移動により、スリーブ磁石１３５と蓋磁石１５０との間の距離が大きくなり、それによって引力が弱くなる。そして、シールバネ１６０の付勢力が優先され、蓋下部１４３が移動して蓋上部１４７を押し戻し、第１容器１００が閉構成になるようにする。例えば、ユーザは第１容器１００を平坦な表面上に戻し、スリーブ上の保持を解除することができる。従って、第１容器の重量及び液体の重量を、この力から取り除くことができる。加えて、スリーブ１３０が解放されて、重力によってスリーブ１３０が下方に引っ張られるときに、反対の効果が発揮される。従って、閉構成に自動的に戻るために必要とされ得る力は（例えば、第１容器１００を下に配置するために）スリーブ１３０を解放するユーザから提供されてもよい。
【００４７】
図８及び図９は、例示的な実施形態による例示的な第２容器２００の異なる斜視図を示す。具体的には図８が閉構成における第２容器２００の第１断面図を示し、図９は開構成における第２容器２００の第２断面図を示す。第２容器２００は、第１通気機構の特徴を含むことができる。例示を目的とするものであるが、第２容器２００は、この第１通気特徴を含むことを除いて、第１容器１００と実質的に同様であってもよい。
【００４８】
第２容器２００は、複数の構成要素及び副構成要素を含むことができる。第２容器２００は、概して、容器部分２２０、スリーブ２３０、スリーブ磁石２３５、蓋下部２４３、及び蓋上部２４７を含む蓋２４０、蓋磁石（図示せず）、シールバネ２６０、及びボタン２８０を含む構成要素の大部分について、第１容器１００と実質的に同様であり得る。従って、上述の材料、構成、数、向き、及び変形例は、第２容器２００にも適用することができる。ボタン１８０の手動操作によって達成される第１容器１００の通気機能とは対照的に、第２容器２００は容器部分２２０の内部の自動通気を更に提供するために、磁気機能を利用する。具体的には、第２容器２００は、レバー２７５と、レバーバネ２７０と、レバー磁石２５０とを利用する。以下に説明するように、第１通気機構の自動作動は、開放機構と同じタイミングで行われてもよい。例えば、ユーザが第２容器２００を持ち上げると、第１通気機構及び磁気機構を使用して、第２容器２００を開構成にすることができる。
【００４９】
第２容器２００の例示的な実施形態によれば、レバー２７５は、第１自由端から第２ヒンジ端まで延びることができる。レバー２７５は、蓋下部２４３の可動構成要素であってもよい。第１容器１００とほぼ同様に、第２容器２００が閉構成にある間、蓋下部２４３及び蓋上部２４７は互いに密封となることができ、第２容器２００が開構成にある間、蓋下部２４３は蓋上部２４７から離れることができる。レバー２７５は、蓋下部２４３又は蓋上部２４７に対してヒンジ端で結合されてもよい。従って、第２容器２００が開構成であり、レバー２７５が蓋上部２４７に結合されている場合は、レバー２７５は、蓋下部２４３のみが移動する間、位置が変化しない構成とすることができる。第２容器２００が開構成であり、レバー２７５が蓋下部２４３に結合されている場合は、レバー２７５も蓋下部２４３とともに移動することができる。レバー２７５の第１自由端は、レバー磁石２５０を含むことができる。レバー２７５の第２ヒンジ端は、レバーバネ２７０を含むことができる。図８に示すように、レバー２７５は、容器部分２２０の内部の直径を横切るように延びることができる。このレバー２７５の長さにより、（旋回点及びレバーの機構に基づき）レバー２７５を旋回させるための力を比較的弱くすることができる。従って、レバー磁石２５０は、レバー２７５を旋回させるための力に基づいて選択することができる。しかし、このような構成は単なる例示であり、レバー２７５は、容器部分２００の内部で上記とは異なる距離だけ延びることができるものとする。
【００５０】
スリーブ２３０及びスリーブ磁石２３５は、スリーブ１３０及びスリーブ磁石１３５と実質的に同じように使用することができる。具体的には、スリーブ２３０は、容器部分２２０の長手方向の一部に沿ってスライド可能であってもよい。図８は、スリーブ２３０に如何なる外力も加えられていない、閉構成にある第２容器２００を示す。図９は、スリーブ２３０に外力が加えられた開構成の第２容器２００を示す。図示のように、スリーブ２３０及びスリーブ磁石２３５を特定の距離だけ移動させることによって、レバー磁石２５０とスリーブ磁石２３５の間の引力は、レバー２７５を水平位置（又は蓋下部２４３と同一平面位置）に付勢するレバーバネ２７０の付勢力に打ち勝つことができる。従って、レバー２７５は、動くかヒンジ端に対して旋回することで、蓋下部２４３又は蓋上部２４７に対して所定の角度になり、アクセス経路の一部を開くことができる。アクセス経路の開放された部分により、容器部分２２０の内部と外部環境との間で圧力を均等化することが可能になる。圧力を均等化することで、閉構成への付勢に打ち勝って第２容器２００を閉構成から開構成に変更するために必要とされ得る開放機構の負荷を減少させることが可能になる。例えば、容器部分２２０の内部に十分な圧力が蓄積されると、スリーブ磁石２３５と蓋磁石との間に作用する引力は、蓋下部２４３を蓋上部２４７から分離するのに十分でない場合がある。しかし、この圧力をある程度開放することで、この引力が閉構成への付勢に打ち勝つことが可能となる。
【００５１】
レバー２７５を含めることは、例示に過ぎないものとする。実質的に同様の通気機能を達成するための代替の旋回機構では、蓋下部２４３（例えばレバー２７５によって占有される部分に限られない）が旋回するように第２容器２００が構成されてもよい。このような実施形態では、蓋下部２４３の１〜３個の磁石は、スリーブ２３０の１〜３個の磁石又は第２容器２００の本体の他の部分と引き合う力であって、スリーブ２３０の移動時に蓋下部２４３を旋回させる力を生成する。従って、蓋下部２４３は通気機能のために第１量だけ旋回されてもよく、更に（例えば、旋回運動又は更なる旋回運動によって）アクセス経路を形成してもよい。
【００５２】
第２容器２００は、スリーブバネ１７０と実質的に同様の方法で、閉構成に対応する位置にスリーブ２３０を付勢するスリーブバネ（図示せず）を含むことができる。従って、外力が解放されると（例えば、スリーブバネ１７０及び／又は重力によって）、スリーブ２３０は、蓋磁石２５０とスリーブ磁石２３５との間の距離が長くなる解放位置に戻ることができ、距離が長くなることで、レバーバネ２７０に対する引力が弱くなることで、当該引力に打ち勝って、レバー２７５が閉構成に対応する解放位置に戻る。
【００５３】
第２容器２００についてのボタン２８０の手動機能は、レバー２７５の用途を考慮して変更されてもよいものとする。上述のように、ボタン１８０は、容器部分１２０内で高まった圧力を解放するために手動で使用されてもよい。具体的には、ボタン１８０が蓋下部１４３を蓋上部１４７から分離して、第１容器１００を開構成にする。これと実質的に同様に、ボタン２８０は、容器部分２２０内に生じ得る圧力を軽減するために手動で使用される冗長の通気機構を提供することができる。しかし、第２容器２００は、自動通気機能を組み込んでいるので、ボタン２８０の手動操作もまた、設計から取り外すことができる。
【００５４】
上記では、第２容器２００と、２つのバネ機能及びレバーと組み合わせた磁気機能と、について説明した。従って、第２容器２００は、レバーバネ２７０及びスリーブバネを介して閉構成に向かって付勢される。十分な力がスリーブ２３０に加えられると、スリーブバネの付勢力に打ち勝って、スリーブ２３０を押圧方向に（例えば、容器部分２２０の長手方向に沿って上方に）移動させることができる。スリーブ２３０が十分な量（例えば、最大クリアランス距離ｄ）だけ移動すると、スリーブ磁石２３５は、レバー２７５の自由端に収容されたレバー磁石２５０に十分に近接する。その結果、それらの間に生成される引力を、レバーバネ２７０の付勢力に打ち勝つほど十分に強くすることができる。このように、第２容器２００について、液体のアクセス経路の一部を開放することによって通気することができる。第２容器２００内から過剰な圧力を解放することで、蓋下部２４３と蓋上部２４７を離すことができるので、容器部分２２０内の液体にアクセス可能である、付勢されていない開構成に第２容器２００を変更させることができる。例えば、第２容器２００を傾斜させることにより、蓋下部２４３が蓋上部２４７から離れることにより形成されるアクセス経路を通って液体が流れるようにすることができる。その後、スリーブ２３０に加えられた力が解放されると、スリーブバネの付勢力が優先されて、スリーブ２３０が解放位置に移動する。このスリーブ２３０の移動により、スリーブ磁石２３５と蓋磁石との間の距離が大きくなり、それによって引力が弱くなる。そして、レバーバネ２７０及びシールバネ２６０の付勢力が優先され、蓋下部２４３が蓋上部２４７に対して保持されるようになって第２容器２００が閉構成になる。
【００５５】
図１０は、例示的な実施形態による例示的な第３容器３００の分解図を示す。具体的には、第３容器３００は第２通気機能を有することができる。第３容器３００は、第２通気機能の機構を含むことができる。例示を目的とするものであるが、第３容器３００は、この第２通気特徴を含むことを除いて、第１容器２００と実質的に同様であってもよい。従って、第３容器３００は、容器部分、スリーブ、スリーブ磁石、蓋下部及び蓋上部を含む蓋、蓋磁石３５１、シールバネ、及びボタンを含むこともできる。図１０の分解図は、第３容器３００を作成するために組み立てられ得る例示的な構成要素のセットを示す。しかし、本明細書に記載された構成要素は例示に過ぎず、当業者であれば、様々な異なるタイプの使用可能な構成要素があることを理解し、更に、第３容器３００を閉構成から開構成に変更させ、第２通気機能を実現するための磁気機能を実現するために使用可能な様々な異なる構成があることを理解するであろう。
【００５６】
ボタン１８０の手動操作によって達成される第１容器１００の通気機能と、アクセス経路の一部を使用して達成される第２容器２００の第２通気機能に対して、第３容器３００は、通気経路を使用して容器部分２２０の内部の自動通気を更に行うために、磁気機能を利用する。具体的には、第３容器３００は、レバー３７５と、レバーバネ３７０と、レバー磁石３５０と、いくつかの構成要素を介して提供される通気経路と、を利用する。以下に説明するように、第２通気機構の自動作動は、開放機構と同じタイミングで行われてもよい。例えば、ユーザが第３容器３００を持ち上げると、第２通気機構及び磁気機構を使用して、第３容器３００を開構成にすることができる。
【００５７】
図示のように、この構成要素は、蓋３４０の副構成要素として説明される。具体的には、蓋３４０は、ガスケット３４０−８と、ガスケット３４０−７と、シールプレート３４０−５と、蓋磁石３５０と、シールプレートオーバーモールド３４０−６と、を含むことができる。これらの材料、実質的な形状、及び機能は、ガスケット１４０−７、シールプレート１４０−５、蓋磁石１５０、及び第１容器１００のシールプレートオーバーモールド１４０−６と、僅かな違いがあるだけで実質的に同じとすることができる。従って、シールプレート３４０−５がシールプレートオーバーモールド３４０−６に結合される場合、垂直方向に組み付けることができる。第１容器１００とは対照的に、第３容器３００は、シールプレート空間３４０−５−１を含むシールプレート３４０−５を利用する。シールプレートオーバーモールド３４０−６はまた、シールプレートオーバーモールド空間３４０−６−１を含み得る。明らかなように、空間３４０−５−１及び３４０−６−１には、レバー３７５を収容することができる。シールプレートオーバーモールド空間３４０−６−１により、レバー３７５をシールプレートオーバーモールド３４０−６と同一平面にすることが可能になる一方で、依然として旋回運動を可能にするために、シールプレートオーバーモールド空間３４０−６−１には、延長された空間を含めることができる。更に、ガスケット３４０−８は穴３４０−８−１を含むことができ、ガスケット３４０−７は穴３４０−７−１を含むことができ、シールプレート３４０−５は、穴３４０−５−２を含むことができる。組み立てられると、穴３４０−８−１、３４０−７−１、及び３４０−５−２は、容器部分の内部から外部環境への通気経路を形成するように整列され得る。
【００５８】
レバー３７５は、レバーバネ３７０と、レバー本体３７５−１と、レバー磁石容器３７５−２と、レバーヒンジ３７５−３と、レバーピン３７５−４とを含むものとして示されている。レバー３７５は、第２容器２００のレバー２７５と機能が実質的に同様であってもよい。従って、上述のように、レバー３７５はレバーヒンジ３７５−３を介して、シールプレート３４０−５（例えば、蓋上部）及び／又はシールプレートオーバーモールド３４０−６（例えば、蓋下部）に連結されてもよい。レバーバネ３７０は、レバー３７５を、第３容器３００の閉構成に対応する同一平面の水平位置に引っ張るように位置させることができる。レバー磁石容器３７５−２は、レバー磁石３５０の１つを収容するレバー本体３７５−１の自由端とすることができる。レバー３７５がレバーバネ３７０の付勢力から解放位置にあるとき、レバーピン３７５−４は、穴３４０−８−１、３４０−７−１、及び３４０−５−２によって形成される通気経路を遮断することができる。この場合、通気経路は、容器部分に対して開口しなくなる。しかし、スリーブ磁石とレバー磁石３５０との間の引力によってレバー３７５が旋回を始めると、レバー３７５は、第２容器２００のレバー２７５に関して上述したのと実質的に同様の方法で下方まで旋回することができる。この旋回運動によって、レバーピン３７５−４が通気経路の外に移動させることで、容器部分の内部と外部環境との間の通気経路が開き、それによって、過剰な圧力を容器部分の内部から解放することができる。その後、スリーブ磁石と蓋磁石３５１との間の引力によって、蓋下部と蓋上部が離れるため、第３容器を開構成にすることができる。
【００５９】
蓋磁石３５１を円形にしたり円形に分布させることにより、開構成及び閉構成に対応した、スリーブ磁石３３５に対する適切な距離をより確実に達成できる。蓋３４０を容器部分３２０に結合するためにネジが使用されるので、磁石３３５、３５１が整合しない位置に配置される可能性がある。しかし、円形に分布させることにより、この不整合を確実に避けることができる。蓋３４０と容器部分３２０の結合を制御する場合、この制御により磁石３３５、３５１の位置が整合することが保証されるので、第３容器３００は、１つの蓋磁石３５１のみを利用することができる。
【００６０】
上記では、第３容器３００と、２つのバネ構造及びレバーと組み合わせた磁気構造と、について説明した。従って、第３容器３００は、レバーバネ３７０及びスリーブバネによって、閉構成となるように付勢される。十分な力がスリーブに加えられると、スリーブバネの付勢力に打ち勝って、スリーブを押圧方向に（例えば、容器部分の長手方向に沿って上方に）移動させることができる。スリーブが十分な量（例えば、最大クリアランス距離ｄ）移動すると、スリーブ磁石はレバー３７５の自由端に収容されたレバー磁石３５０に十分に近接し、その結果、それらの間で発生する引力は、レバーバネ３７０の付勢力に打ち勝つのに十分な強さとなることができる。このようにして、第３容器３００について、液体のアクセス経路とは別個の通気経路を介して通気させることができる。第３容器３００内から過剰な圧力を解放することで、蓋下部と蓋上部を離すことができるので、容器部分内の液体にアクセス可能である、付勢されていない開構成に第３容器３００を変更させることができる。例えば、第３容器３００を傾斜させることにより、蓋下部が蓋上部から離れることにより形成されるアクセス経路を通って液体が流れるようにすることができる。その後、スリーブに加えられた力が解放されると、スリーブバネの付勢力が優先されて、スリーブが解放位置に移動する。このスリーブの移動により、スリーブ磁石と蓋磁石３５１との間、及び、スリーブ磁石２３５とレバー磁石３５０との間の距離が大きくなり、それによって各組合せの引力が弱くなる。そして、レバーバネ及びシールバネの付勢力が優先され、蓋下部が蓋上部に対して保持されるようになって第３容器が閉構成になる。
【００６１】
図１１〜１３は、例示的な実施形態による例示的な第４容器４００の異なる斜視図を示す。具体的には図１１は組み立てられた側面図を示し、図１２は第１断面図を示し、図１３は例示的な第４容器４００の第２断面図を示す。
【００６２】
第４容器４００は、複数の構成要素及び副構成要素を含むことができる。一般に、容器部分４２０、スリーブ４３０、蓋下部４５５及び蓋上部４５０を含む蓋４４０、及びボタン４８０を含む構成要素の大部分に関して、第４容器４００は、第１容器１００と実質的に同様とすることができる。従って、上述の材料、構成、数、向き、及び変形例は、第４容器４００にも適用することができる。第１容器１００の開放機構とは対照的に、第４容器４００は、異なる方法で磁気特徴を利用する。具体的には、第４容器４００は、シールバネに代替する更なる磁気機能を用いる。しかし、上述のような手動のボタン４８０も使用される場合、第４容器４００の磁気機能を使用して開放機構を有効にするために、シールバネを第４容器４００に含めることもできるが、異なる向きで含めることができる。
【００６３】
第４容器４００の例示的な実施形態によれば、スリーブは、スリーブ磁石４３５を含む。蓋は、３組の異なる磁石を含むことができる。第１組の磁石は、スリーブ磁石４３５とともに作動する蓋外側磁石４７０とすることができる。第２組の磁石は、蓋下部４５５に配置された蓋下部磁石４６５とすることができ、第３組の磁石、蓋上部４５０に配置された蓋上部磁石４６０とすることができる。蓋下部磁石４６５及び蓋上部磁石４６０は、互いに作用を及ぼすことができ、蓋外側磁石４７０に対してより中央に配置することができる。蓋下部磁石４６５及び蓋上部磁石４６０は、蓋外側磁石４７０から十分に分離されて、それらの間の如何なる引力も蓋外側磁石４７０とスリーブ磁石４３５との間の引力に影響を及ぼさないようにすることができる。スリーブ４３０及びスリーブ磁石４３５は、第１容器１００のスリーブ１３０及びスリーブ磁石１３５と実質的に同様に動作することができる。具体的には、スリーブ４３０は、容器部分４２０の長手方向の一部に沿ってスライド可能であってもよい。
【００６４】
第４容器４００は、閉構成に向かって付勢されてもよい。具体的には、スリーブ４３０は、閉構成に対応する位置に向けてスリーブ４３０を付勢するスリーブバネ（図示せず）を含むことができる。このようにして、蓋外側磁石４７０とスリーブ磁石４３５との間の距離を最大にすることができ、その結果、それらの間に生じる引力を弱めることができる。この引力は、蓋上部磁石４６０と蓋下部磁石４６５との間の引力よりも弱くすることができる。従って、閉構成では、蓋上部磁石４６０及び蓋下部磁石４６５の引力が、蓋外側磁石４７０及びスリーブ磁石４３５の引力を上回る可能性がある。
【００６５】
外力がスリーブ４３０に加えられ、スリーブバネの付勢力に打ち勝つ場合、スリーブ磁石４３５は、蓋外側磁石４７０に近づくように移動することができる。スリーブ磁石４３５と蓋外側磁石４７０とが近づくことにより、それらの間の引力を増大させることができる。実際、この引力は、蓋上部磁石４６０と蓋下部磁石４６５との間の引力に打ち勝つことができる。
【００６６】
蓋外側磁石４７０及びスリーブ磁石４３５の引力が優先することで、蓋下部４５５が蓋上部４５０から離れて、容器部分４２０内の液体へのアクセス経路が生じる開構成に第４容器４００を変更することができる。外力が解放されると、スリーブバネは、スリーブ４３０を付勢して解放位置に戻すことができる。スリーブ４３０が動くことにより、更に、スリーブ磁石４３５と蓋外側磁石４７０との間の距離を増大させて、それらの間の引力が弱まることになる。蓋上部磁石４６０及び蓋下部磁石４６５には、再び、優先される引力が生じる可能性がある。従って、蓋下部４５５は解放位置に移動し、再び蓋上部４５０を押圧して、第４容器４００を開構成から、アクセス経路が密封される、付勢された閉構成に戻すことができる。
【００６７】
上述の通気機構の１つを第４容器４００に組み込むこともできるものとする。具体的には、ボタン１８０による手動通気機構、レバー２７５及びアクセス経路の一部を使用する第１自動通気機構、又はレバー３７５及び通気経路を使用する第２自動通気機構を、第４容器４００に組み込むことができる。
【００６８】
上記では、第４容器４００と、２つの磁気特徴を組み合わせたものと、について説明した。従って、第４容器４００は、蓋上部磁石４６０及び蓋下部磁石４６５、並びにスリーブバネによって、閉構成となるように付勢されることがある。十分な力がスリーブ４３０に加えられると、スリーブバネの付勢力に打ち勝って、スリーブ４３０を押圧方向に（例えば、容器部分４２０の長手方向に沿って上方に）移動させることができる。スリーブ４３０が十分な量（例えば、最大クリアランス距離ｄ）移動すると、スリーブ磁石４３５は蓋外側磁石４７０に十分に近接し、その結果、それらの間で発生する引力は、蓋上部磁石４６０と蓋下部磁石４６５との間で発生する引力に打ち勝つのに十分な強さとなることができる。このようにして、蓋下部４５５が蓋上部４５０から離れ、容器部分４２０内の液体にアクセス可能で、付勢されていない開構成に第４容器４００を変更することができる。例えば、第４容器４００を傾斜させることにより、蓋下部４５５が蓋上部４５０から離れることにより形成されるアクセス経路を通って液体が流れるようにすることができる。その後、スリーブ４３０に加えられた力が解放されると、スリーブバネの付勢力が優先されてスリーブ４３０が解放位置に移動する。このスリーブ４３０の移動により、スリーブ磁石４３５と蓋外側磁石４７０との間の距離が大きくなり、それによって引力が弱まり、蓋上部磁石４６０及び蓋下部磁石４６５の間の引力よりも高くなって優先される。そして、蓋下部４５５の位置が戻って蓋上部４５０を押圧し、第３容器４００が閉構成になる。
【００６９】
図１４は、例示的な実施形態による、第１容器１００、第２容器２００、第３容器３００、及び第４容器４００とともに使用される例示的な第１インジケータ５００を示す。図１５は、例示的な実施形態による、第１容器１００、第２容器２００、第３容器３００、及び第４容器４００とともに使用される例示的な第２インジケータ５５０を示す。インジケータ５００、５５０は、容器が開構成にあるか閉構成にあるかに関する視覚的表示をユーザに提供するために使用することができる。例示を目的とするものであるが、インジケータ５００、５５０は、第１容器１００に関して説明される。従って、インジケータ５００、５５０は、容器部分１２０、スリーブ１３０、蓋１４０、及びシールバネ１６０について示されている。しかし、インジケータ５００、５５０は、特にボタンがあることを考慮して、第２容器２００、第３容器３００、及び第４容器４００とともに使用することもできることを当業者は理解するであろう。
【００７０】
第１インジケータ５００では、ボタン１８０を不透明ボタン５０５に変更することができる。不透明ボタン５０５は、インジケータリング５１０への視覚的なアクセスを阻止するように構成することができる。インジケータリング５１０は、不透明ボタン５０５とボタンキャップとの間に配置されることができる。しかし、不透明ボタン５０５を蓋１４０に押し込むと、インジケータリング５１０が現れる。インジケータリング５１０は、第１容器１００が開構成にあることを識別する明確な色（例えば、緑色）等の視覚的表示を含むことができる。この視覚的表示がない場合は、第１容器１００が閉構成にあると識別することができる。つまり、蓋下部１４３が蓋上部１４７から離れると、蓋下部１４３は下方に移動し、言い換えれば（例えば、蓋下部１４３に対応するシールプレート１４０−５に結合されたシールプレートポスト１４０−４に結合されたボタンピン１８０−３に結合されたボタン本体１８０−１を介して）ボタン５０５が下方へ移動する。不透明ボタン５０５が押されると、インジケータリング５１０が現れ、視覚的表示が見える。
【００７１】
第２インジケータ５５０では、ボタン１８０を透明ボタン５５５に変更することができる。透明ボタン５５５は、ボタンの底面にテクスチャを有することができる。透明ボタン５５５は、第１容器１００が閉構成にある間、インジケータ面５６５が見えない距離となるように、透明ボタン５５５の下にあるインジケータ面５６５から十分に離されている。第２インジケータ５５０はまた、インジケータリング５１０と実質的に同様の位置にインジケータリング５６０を含むことができる。しかし、インジケータリング５６０は、中性色を有してもよく、又はインジケータ面５６５の視覚的表示を強調表示してもよい。透明ボタン５５５を蓋１４０内に押し込むと、インジケータ面５６５が現れる。インジケータ面５６５は、第１容器１００が開構成にあることを識別する明確な色（例えば、緑色）等の視覚的表示を含むことができる。視覚的表示がない場合、第１容器１００が閉構成にあることを識別することができる。従って、蓋下部１４３が蓋上部１４７から離れると、蓋下部１４３は下方に移動し、言い換えれば（例えば、蓋下部１４３に対応するシールプレート１４０−５に結合されたシールプレートポスト１４０−４に結合されたボタンピン１８０−３に結合されたボタン本体１８０−１を介して）ボタン５５５が下方へ移動する。透明ボタン５５５は、押されることによって、視覚的表示が見えるように、インジケータ面５６５の近くに移動する。透明ボタン５５５の底面のテクスチャは、インジケータ面５６５の色を拡散するように構成することができ、つまり、この色が透明ボタン５５５の内側で反射し、それによって透明ボタン５５５がこの色で満たされるようにすることができる。
【００７２】
インジケータ５００、５５０はまた、第１容器１００が閉構成にあるときの視覚的表示を示すために使用されてもよい。例えば、閉構成にある間、インジケータ５００、５５０は第１容器１００が閉鎖されているという視覚的表示又は色（例えば、赤色）を表示することができる。第１容器１００が開構成にあるとき、視覚的表示は隠されてもよい。別の例では、インジケータ５００、５５０は開構成（例えば、緑色）及び閉構成（例えば、赤色）の両方について対応する視覚的指示を示すことができる。
【００７３】
例示的な実施形態は、自動蓋閉鎖機構を実現する飲料容器を提供する。飲料容器を特定の位置に保持することによって、飲料容器は自動的に開くことができ、飲料容器を離すことによって、飲料容器は自動的に閉じることができる。これは、例示的な実施形態によって必要とされる任意の外力の範囲であってもよい。また、閉鎖機構は、磁気的な特徴を用いた開放機構に相当する。第１の例示的な実施形態では、スリーブに掛かる外力によって磁気機構内に引力が生じ、この引力がバネの付勢力を超えることで、蓋構成要素を分離し、付勢された閉構成から押圧された開構成に容器を変更させる。第２及び第３の例示的な実施形態では、容器の外部に露出するレバーが第１及び第２通気機構にそれぞれ組み込まれており、このレバーにより高まった圧力を外部に移動させて、圧力を解放させることができる。第１通気機構において、圧力は、容器のアクセス経路の一部を介して解放されてもよい。第２通気特徴において、圧力は、通気経路を介して解放されてもよい。圧力の解放によって、磁気機構内の引力がバネの付勢力を超過するか、又はより容易に過剰に付勢して、蓋構成要素を分離し、付勢された閉構成から応力を掛けられた開構成に容器を変更することができる。第４の例示的な実施形態では、スリーブに掛けられた外力によって、ある磁気機構の引力が他の磁気機構の引力を超えることで、蓋構成要素が分離されて、付勢された閉構成から応力を掛けられた開構成に容器を変更することができる。例示的な実施形態はまた、容器の状態を示すためのインジケータ機能が組み込まれている。開構成では可視可能な示唆があり、閉構成ではこの示唆がない（あるいは逆であってもよい）。
【００７４】
当業者が、本発明の精神又は範囲から逸脱することなく、本発明に様々な変更を加えることができることは明らかであろう。従って、本発明は、添付の特許請求の範囲及びその均等物の範囲内に入ることを条件として、本発明の修正及び変形を包含することが意図されている。
【図１】
2019536599.tif 000003
【図２】
2019536599.tif 000004
【図３】
2019536599.tif 000005
【図４】
2019536599.tif 000006
【図５】
2019536599.tif 000007
【図６】
2019536599.tif 000008
【図７】
2019536599.tif 000009
【図８】
2019536599.tif 000010
【図９】
2019536599.tif 000011
【図１０】
2019536599.tif 000012
【図１１】
2019536599.tif 000013
【図１２】
2019536599.tif 000014
【図１３】
2019536599.tif 000015
【図１４】
2019536599.tif 000016
【図１５】
2019536599.tif 000017
【国際調査報告】
2019536599.tif 000018